(57)【要約】【課題】  ランプ組立体とフィルター組立体とを使用する従来のＷＴＳユニットの欠点を克服する。【解決手段】  ランプ組立体２４であって、入口開口３８８と出口開口２２８とを有するハウジング４００，７８，７２と、上記ハウジング内部に配置され放射線を発生する電球組立体８２と、入口開口と出口開口とを連結すると共にハウジングを通る流体を移送する少なくとも一つの導管８０と、ハウジング内に配置されると共に上記電球組立体に近接して湾曲の頂点を形成する小さくなる二つの曲率半径を有する反射器組立体４０２とを具備し、電球組立体から発せられたほぼ全ての光線が該電球組立体から上記導管の少なくとも一部に向かって反射せしめられる、ランプ組立体を提供する。【選択図】      図５
2005313173.tif 000002
【特許請求の範囲】
【請求項１】
入口開口と出口開口とを有するハウジングと、
上記ハウジング内部に配置され放射線を発生する電球組立体と、
上記入口開口と出口開口とを連結すると共に上記ハウジングを通る流体を移送する、少なくとも一つの導管と、
上記ハウジング内に配置されると共に上記電球組立体に近接して湾曲の頂点を形成する小さくなる二つの曲率半径を有する反射器組立体とを具備し、
上記電球組立体から発せられたほぼ全ての光線が該電球組立体から上記導管の少なくとも一部に向かって反射せしめられる、ランプ組立体。
【請求項２】
上記反射器組立体が、曲率半径の増大する部分を有する少なくとも一つの反射器を有する、請求項１に記載のランプ組立体。
【請求項３】
上記反射器組立体が、上記少なくとも一つの導管を包囲するように共働する一対の反射器を有する、請求項１に記載のランプ組立体。
【請求項４】
上記一対の反射器のそれぞれは、細長く且つその断面がオメガ形状であり、対向する湾曲した中央部分と、相互に係合する一対の対向フランジとを有する、請求項３に記載のランプ組立体。
【請求項５】
上記反射器組立体は、平面部分と湾曲部分とを有する反射器を少なくとも一つ有し、該湾曲部分は発せられた放射線を上記少なくとも一つの導管に焦点合わせさせる、請求項１に記載のランプ組立体。
【請求項６】
当該ランプ組立体の下方部分に配置された下方端部キャップを更に具備する、請求項１に記載のランプ組立体。
【請求項７】
上記下方端部キャップがほぼカップ形状であり且つ液体が該下方端部キャップから漏れないようにする自己シール弁を有する、請求項６に記載のランプ組立体。
【請求項８】
上記自己シール弁が逆止ボール弁である、請求項７に記載のランプ組立体。
【請求項９】
入口を有する頂端キャップを更に具備する、請求項１に記載のランプ組立体。
【請求項１０】
上記頂端キャップが上記電球組立体から離れるように延びる移動ピンを有する、請求項９に記載のランプ組立体。
【請求項１１】
上記反射器組立体の周りを包囲する細長い湾曲した一対の外枠を具備する、請求項１に記載のランプ組立体。
【請求項１２】
ハウジングと、
上記ハウジング内に配置された導管と、
上記ハウジング内に配置されて放射線を発生させる電球と、
上記電球組立体に近接して交差する小さくなる二つの曲率半径を有すると共に上記電球から発せられたほぼ全ての放射線を導管に向かって反射させる、反射器組立体とを具備する、ランプ組立体。
【発明の詳細な説明】
【技術分野】
【０００１】
本発明はランプ組立体に関する。
【背景技術】
【０００２】
従来から、家庭や事務所で用いられ水の中の汚染物をろ過し処理する使用時水処理装置（ＷＴＳ）ユニットが知られている。
【発明の開示】
【発明が解決しようとする課題】
【０００３】
本発明は上記使用時家庭又は事務所用水処理装置（ＷＴＳ）ユニットに関連した幾つかの問題を最小とし又は克服するものである。第１の問題はＵＶ電球組立体を有するランプ組立体を利用する従来のＷＴＳユニットはエネルギーが不十分であることである。通常のランプ組立体が点燈された時、ＵＶ電球内部のガスが十分に励勢されてＷＴＳユニットの中の微生物の適切な殺菌を保証するのに必要とされる強さの光線を出力する前に相当量の起動時間を要する。ＵＶ電球組立体が十分に励勢され微生物が適切に照射される前にＷＴＳユニットから放出される水は許容できない高レベルの生きた微生物を運ぶことになる。この結果、従来のランプ組立体は相当量のエネルギーを用いる連続運転をすることになる。また、ランプ組立体が一晩中のように連続運転したままとなることにより、ＷＴＳユニットの内部に残っている水は不愉快に暖かくなる。最後に、連続運転されたままのランプ組立体の寿命予測は水が処理される時にのみ作動されるランプ組立体に対して著しく減少される。
【０００４】
第２の問題はＷＴＳユニット内部の反射器組立体の設計に関することである。ランプの効率を増大させる試みにおいては、反射器組立体はＵＶ電球組立体と微生物が照射される水搬送導管との周りに置かれる。水搬送導管に衝き当たらなかったＵＶ電球組立体から発せられた光線は反射器の壁から反射され水搬送導管に再び突き当たる機会を持つことになる。これらの反射器組立体は断面が円形である。あいにくと、これらの円形の反射器の設計によって生じた大量のＵＶ光線は水搬送導管に到達することはない。むしろ、反射された光の相当部分がＵＶ電球組立体によって再び吸収され水搬送導管に到達することがない。
【０００５】
第３の問題はランプ組立体のＷＴＳユニットに対する電気的な接続に関するものである。ランプ組立体がＷＴＳユニットに取付けられ又は取外される時は何時も、ランプ組立体はＷＴＳユニットに対し機械的及び電気的に連結されまた取外されなければならない。これはしばしば複雑で高価な電気取付け組立体を必要とするものであった。さらに、電気的連結部が電力のＷＴＳユニットの通過中は水分にさらされないのを保証するための注意をはらわなければならない。
【０００６】
同軸上に整列されたランプ組立体とフィルター組立体とが用いられＷＴＳユニットの大きさを最小にすることがある。特定のＷＴＳのランプ組立体とフィルター組立体はＷＴＳユニットから同時に取外すことができ又は同時に取外すことができない。これら組立体が同時に取外される場合は、組立体はそれ自体相当の重さを有しまた水で充たされているため非常に重いことが多い。このほかに、ランプとフィルターの組立体が別々にＷＴＳユニットから取外される場合でも、取扱いの間にこれら組立体の１つから水が流出するという問題がしばしば生じる。
【０００７】
ＵＶランプ組立体を有するＷＴＳユニットが直面するもう１つの問題はランプ組立体を監視するために複雑なモニター装置が必要となることである。ランプ組立体は時間が経過するにつれて、ランプ組立体から出力されるＵＶ光線の強さは一般に低下する。最終的にはこの光線の強さは所望の微生物殺菌率を得るのに必要な強さより低くなる。このランプ組立体は所望の最小の強さに達する前に取替えなければならない。したがって、ＷＴＳユニット内部のＵＶ光線の強さを検査するためにモニター装置が必要となる。これらのモニター装置は典型的に高価である。これらはしばしば石英の窓を備えた高価なＵＶ光線センサーを必要とする。
【０００８】
使用時水処理装置は典型的にはこの装置が作動停止したならば起ることになる微生物の成長のため連続運転の状態におかれる。典型的なＷＴＳユニットのランプ組立体は所望の殺菌率を達成するのに必要な発射された放射線の強さの閾値に達するのに比較的長い時間を必要とする。したがって、許容できない高レベルの生きた微生物を包含する水が光線の強さの閾値に達する前にＷＴＳユニットから配送されることになる。
【０００９】
典型的なＷＴＳユニットが有する他の問題と欠点は複雑な組立体と手で取付けなければならないナット、ボルト及びＯリングを含むようなフィルターとランプの組立体を取付けるためのロック機構とを含んでいる。
【００１０】
ランプ組立体とフィルター組立体とを使用する従来のＷＴＳユニットのこれらのまた他の欠点は本発明によって克服される。
【課題を解決するための手段】
【００１１】
本発明は基体ユニットと、内部スリーブとＵＶランプ組立体のような第２の水処理装置とを備えたフィルター組立体とを有する使用時水処理装置を含んでいる。内部スリーブは第２の水処理装置のための室を提供する。理想的には第１及び第２の弁とシールとがフィルター組立体と第２の水処理装置との間と第２の水処理装置と基体ユニットとの間で水の流れの制御をする。これら弁とシールはフィルター組立体とランプ組立体とが基体ユニットから取外され取替えられる時に水が不必要に流出するのを防止する。
【００１２】
本発明はまたランプ組立体を含み、好ましくは電球組立体、反射器組立体及びランプ組立体を通過する水を運ぶ導管を含む水処理装置に用いられる。反射器組立体は、電球組立体から導管上に発射されここから離れて電球組立体に戻る光線を反射させ集めるように構成され又はそのような形状とされそれによりランプ組立体の効率を高めるようにする。
【００１３】
本発明はさらに一対の端部キャップと導管を照射するための電球組立体との間に把持された水搬送導管を含む取替え可能なランプ組立体を含んでいる。導管は微生物と他の汚染物とが処理される反応容器として作用する。端部キャップと共働してＵＶ電球組立体と導管とを取巻くほぼ閉鎖された容器を形成する外枠が用いられる。ランプ組立体はまた端部キャップの間に延びる２つ又はそれ以上の導管を含むことができる。ランプ組立体は一般に内蔵式であり試験取付け具に又は水処理装置に容易に取付けることができる。
【００１４】
本発明の他の形態は電球組立体のフィラメントの間の中間部分を冷却するための凝縮要素の使用である。冷却される中間部分は水銀のような凝縮可能な材料がフィラメントの間の電球の中間部分上に凝縮できるようにする。ランプ組立体が励起されると、この凝縮された水銀はこれがフィラメントの間のアーク経路上に位置しているため迅速に再び蒸発される。さもなければ、凝縮された水銀がアーク経路の外に位置した時は凝縮された水銀がランプ組立体が再び励起された時十分に蒸発されるようになるのにより多くの時間が必要となる。アーク経路におけるこの水銀の凝縮はランプ組立体が短時間で閾値の強さに達するのを助ける。電球と冷却水を運ぶ導管との間に延びる凝縮要素は吸熱器として作用し凝縮要素に接触する電球の中間部分を冷却することができる。凝縮要素がエラストマーである場合は凝縮作用はまた緩衝作用をすることができる。
【００１５】
本発明のさらに他の特徴はＵＶ光線を可視光線に変換する螢光染料で飽和されたプラスチックの明色パイプの使用である。この変換はランプ組立体によって発生されたＵＶ光線の相対強さを安価な可視光検知器により容易に測定できるようにする。明色パイプは光沢のある再度のつけられた表面を含み入射ＵＶ線を受取り明色パイプが特定の発射表面で可視光線を発射しこの可視光線が強さを測定できるようにする。好ましくは、螢光染料は緑色の波長域にある。
【００１６】
もう１つの特徴は誘導式に連結された基体ユニットとランプ組立体を用い水処理装置を通過する微生物を殺菌するのに必要なＵＶ放射線を得ることである。また、基体ユニット、フィルター組立体及びランプ組立体上のスマートチップの間の無線周波識別（ＲＦＩＤ）と通信が、フィルターとランプの寿命と使用、特定のフィルター組立体又はランプ組立体の識別、及び他の所望の情報のような、水処理装置の作用に関する情報を提供することができる。誘導連結とＲＦＩＤの使用はフィルター組立体とランプ組立体が基体ユニットにハード配線せずに作動できるようにする。基体ユニットは水処理装置の作動を制御するためマイクロプロセッサーを含むようにする。
【００１７】
本発明の目的は取外し可能なランプ組立体とランプ組立体に電力を供給する基体ユニットとの間の直接の物理的電気的接続を必要としないＷＴＳユニットを提供することである。
【００１８】
本発明の他の目的は一次コイルを有する基体ユニットと二次コイルを有するランプ組立体とを有し、一次コイルが二次コイルにエネルギーを供給しランプ組立体を作動させそれにより高い強度のＵＶ線がＷＴＳユニット内部に発生されるようにするＷＴＳユニットを提供することである。
【００１９】
本発明のまた他の目的はＵＶ電球組立体によって発生されたＵＶ線が処理される水を運ぶ１つ又は複数の導管上で反射され集められしかも反射された光線が衝突しＵＶ電球組立体によって吸収されるのを最小にするＷＴＳユニットの反射器組立体を提供することである。
【００２０】
本発明のさらに他の目的はフィルター組立体が基体ユニットとランプ組立体に共働するよう取付けられ水がフィルター組立体を通過できるようにしまたフィルター組立体が基体ユニットとランプ組立体とから取外された時、フィルター組立体は水がフィルター組立体から流れ出るのを阻止する自己シール作用をするＷＴＳユニットを提供することである。
【００２１】
さらに他の目的はＵＶ電球組立体が起動時十分な強度のＵＶ線を実質的に瞬間に発生しランプ組立体が間欠的に運転されしかも所望の微生物殺菌率を保持できるようにする安定器とランプ組立体を有するＷＴＳユニットを提供することである。
【００２２】
また他の目的は間欠的に作動し一対の離間したフィラメントを備えたＵＶ電球組立体とＵＶ電球組立体に接触する吸熱器とを有しそれによりＵＶ電球組立体の冷却スポットがフィラメントの間に形成され少なくとも１つのイオン化されたガスがＵＶ電球組立体の非励起時に冷却スポットに近接したフィラメントの間で凝縮するようになるＷＴＳユニットを提供することである。これはＵＶ電球組立体が再び励起された時凝縮されたガスが迅速に再びイオン化されるようにする。
【００２３】
さらに他の目的はＵＶ線を受け螢光を発し入射するＵＶ線に強度がほぼ正比例する可視光線を出力する明色パイプを提供することである。
【００２４】
さらにまた他の目的は基体ユニット上の電気組立体に応動してフィルターとランプとの組立体からの使用情報を記録する１つ又は複数のランプ組立体のスマートチップを提供することである。
【００２５】
本発明のこれらのまた他の特徴、目的及び利点は以下の記載と特許請求の範囲と添付図面とから容易に明らかとなるであろう。
【発明を実施するための最良の形態】
【００２６】
本発明により構成された典型的な水処理装置（ＷＴＳ）ユニット２０が図１に斜面図で示されている。図２と３はＷＴＳユニットの左側面図と背面図である。図４は基体ユニット２２とランプ組立体２４とフィルター組立体２６とを含むＷＴＳユニット２０の主要構成要素の分解図を示す。ランプ組立体２４とフィルター組立体２６は基体ユニット２２から別々に取外すことができまた取替えることができる。フィルター組立体２６は最初に基体ユニットから取外され次にランプ組立体２４が基体ユニット２２から取外すことができる。次にフィルター組立体２６がランプ組立体２４の上に同軸に置かれＷＴＳユニット２０が再び組立てられる時に基体ユニット２２に差込み式に取付けられる。
【００２７】
ここで図１〜３を参照すると、ＷＴＳユニット２０の外側は底部覆い３２と後部覆い３４と前部覆い３６と頂部覆い４０とによって形成されている。レンズ４２が前部覆い３６の開口に取付けられる。レンズ４２はＷＴＳユニット２０の作動パラメータの目に見える表示に適合している。図２はＷＴＳユニット２０の左側面図を示し図３は後面図を示す。電力を受取る電力プラグ組立体４４が後部覆い３４の後側に位置している。図４は頂部覆い４０が最初にフィルター組立体２６より前に取外されついでランプ組立体２４が基体ユニット２２の残り部分から取外されることを示している。
【００２８】
図５を参照すると、ＷＴＳユニット２０の主構成要素が斜面図で示されている。基体ユニット２２は３つの内部スリーブを有する内部スリーブ５０と、カバー５２と、入口弁組立体５４と、出口カップ５８を有する出口カップ組立体５６と、入口及び出口エルボー組立体６２及び６４と共に底部覆い３２を含む底部覆い組立体６０と、電子機器組立体６６とを含んでいる。これらの構成要素は底部覆い３２、前部覆い３６及びレンズ４２、後部覆い３４、及び頂部覆い４０の内部に収容されている。また頂部覆い４０に取付ける磁石保持器６８と磁石７０とが示されている。頂部覆い４０と磁石７０とがＷＴＳユニット２０の残り部分の上に正しく位置されていなかったならば、磁石７０の磁界は電子機器組立体６６上のセンサーによって検知されずまたＷＴＳユニット２０は励起されない。
【００２９】
ランプ組立体２４は基体部分組立体７２、二次コイル７４、底部支持部分組立体７６、頂部支持組立体７８、一対の石英スリーブ８０、ＵＶ電球組立体８２、及び一対の共働外枠と反射器部分組立体８６を含んでいる。フィルター組立体２６は、フィルターブロック９０、基体内部スリーブ９２、ねじリング９４、フィルターハウジング９６、及びエラストマーフィルターハウジング把持器９８を含むフィルターブロック組立体８８を具備している。
【００３０】
上記の構成要素は以下に個々により詳細に記載される。そして種々の構成要素の組立てと係合はＷＴＳユニット２０全体の様々な切断面図を用いて構成される。
【００３１】
Ａ．フィルター組立体
図６Ａ〜Ｅを参照すると、フィルター組立体２６はフィルターブロック組立体８８、ドーム状で円筒形状の外側フィルターハウジング９６、入口逆止ボール１００、出口逆止ボール１０２、基体内部スリーブ９２、フィルターねじリング９４、ブロックガスケット１０４、及びフィルターハウジング把持器９８を含んでいる。フィルターハウジング把持器９８はエラストマーでありこの典型的な実施態様ではゴムで作られている。フィルターハウジング把持器９８は外側フィルターハウジング９６の上側ドーム状端部の上に拡げられかつ摩擦によりこれに取付けられる。フィルターブロック組立体８８は底部フィルター端部キャップ１０６と頂部フィルター端部キャップ１０８との間に保持された環状カーボンブロック９０を有する。フィルターブロック組立体８８はまたカーボンブロック９０の外周面を取巻くカーボンブランケット１１０を有している。カーボンブランケット１１０はカーボンブロック９０を半径方向内側に向って通過しようとする大きな粒子をろ過し又は捕捉する作用をするナイロン網で構成されている。スマートチップ１１２が基体内部スリーブ９２の基部に保持されている。スマートチッブ１１２はフィルター使用に関するパラメータを記録するのに用いられる。電子機器組立体６６上のセンサーが誘導により電力を供給しスマートチップ１１２と通信しフィルター使用の詳細を得るようにする。
【００３２】
図６Ｃ〜Ｄを見ると、フィルターブロック組立体８８はフィルターハウジング９６の内部に配置されブロックガスケット１０４と基体内部スリーブ９２の下側部分との上に載っている。ブロックガスケット１０４は基体内部スリーブ９２の溝の中に保持される。カーボンブロック組立体８８はフィルターねじリング９４に螺着される。またフィルターねじリング９４は溶接工程を介して基体内部スリーブ９２に恒久的に取付けられる。その開放端部で外側フィルターハウジング９６が基体内部スリーブ９２の外周面に溶接される。入口逆止ボール１００は基体内部スリーブ９２の基部の近くに摺動自在に保持されまた出口逆止ボール１０２は基体内部スリーブ９２の頂上とフィルターブロック組立体８８の頂端キャップ１０８の下側とに摺動自在に保持される。
【００３３】
図６Ｄを見ると、底部フィルター端部キャップ１０６が水平方向に延びる環状トレイ部分１１６を支持する環状ハブ部分１１４を有している。内側ねじ１２０がハブ部分１１４の半径方向内面に形成される。トレイ部分１１６は一連の４つの同心溝１２２が形成されておりまた内側及び外側フランジ１２４と１２６を有している。カーボンブロック９０の底部分はトレイ部分１１６の上に支持され内側及び外側フランジ１２４及び１２６の間に保持される。図６Ｅを参照すると、頂部フィルター端部キャップ１０８は内側及び外側フランジ１３２及び１３４と環状キャップ部分１３６と下側開口のボール保持カップ部分１４０とを有する環状トレイ部分１３０を含んでいる。明瞭には示されていないが、トレイ部分１３０はまたカーボンブラック９０に対向して配置された４つの同心溝を含んでいる。上側端部キャップ１０８は内部スリーブ９２の上側部分の頂端で出口逆止ボール１０２を摺動自在に保持するような形状となっている。
【００３４】
フィルターハウジング９６は閉鎖されたドーム状の端部部分１４２と円筒形部分１４４とを含んでいる。円筒形部分１４４の開放端部に図６Ｃ〜６Ｄに示されるように基体内部スリーブ９２に恒久的に取付けられるようになっている減少された厚さの端部部分１４６がある。ＥＭＡテープ１４８が端部部分１４６と基体内部スリーブ９２の外周面との間に形成された隙間に配置され溶接が容易となるようにする。
【００３５】
基体内部スリーブ９２は図７Ａ〜７Ｆに個々に示されている。基体内部スリーブ９２は基体部分１５０と中間円筒形部分１５２と頂部部分１５４とを含んでいる。頂部部分１５４は出口開口１６０が貫通して延びているディスク状端部キャップ１５６を含んでいる。３つの周方向に離間された弓形突起１６２が出口開口１６０を取巻きまた出口逆止ボール１０２を取巻き位置決めする作用をする。出口開口１６０の周縁の周りにボール座部１６４がある。円筒形部分１５２の上端がランプ組立体２４（図示しない）の対応部分と係合する形状の段付き部分１６６を含んでいる。
【００３６】
図６Ｄに最も良く見られるように、基体部分１５０はブロックガスケット１０４を受け入れるガスケット溝１７０とボール座部１７４によって取巻かれる入口開口１７２と入口逆止ボール１００を案内する３つの共働する周方向に離間された突起１７６とを含んでいる。図７Ａ〜７Ｄに戻ると、３つの周方向に離間された傾斜扇形縁１７８とＬ字形保持舌片１８０とが基体部分１５０の底に形成されフィルター組立体２６が内部スリーブ５０に差込み式に取付けられるようにする。傾斜扇形縁１７８はフィルター組立体２６が基体ユニット２２から取外される時にフィルター組立体２６を基体ユニット２２から離れて持上げるのを助ける。開口１８６を有する矩形形状のスマートチップ保持室１８４がまた基体部分１５０の底部に形成される。開口１８６はスマートチップ１１２を締まり嵌め又は圧入で保持するような大きさに形成される。スマートチップ１１２は情報を記録し電子機器組立体６６に伝達する作用をする。
【００３７】
フィルターねじリング９４は外側ねじ１９２を含んでいる。フィルターねじリング９４の半径方向内周面は基体内部スリーブ９２の円筒形部分の外径と係合する大きさに形成されている。フィルターねじリング９４は外側ねじ１９２を含んでいる。フィルターねじリング９４の半径方向内周面は基体内部スリーブ９２の円筒形部分１５２の外径と係合する大きさとなっている。フィルターねじリング９４は図６Ｃと図６Ｄに示されるように基体部分１５０に近接した基体内部スリーブ９２の円筒形部分１５２に超音波溶接される。
【００３８】
フィルター組立体２６は次のように組立てられる。フィルターねじリング９４が基体部分１５０に近接した基体内部スリーブ９２の円筒形部分１５２の上に置かれる。超音波溶接が用いられフィルターねじリング９４を円筒形部分１５２に恒久的に取付ける。入口逆止ボール１００がボール座部１７４の上に載る共働突起１７６の内部に置かれる。同様に、出口逆止ボール１０２がボール座部１６４の上の突起１６２の中に配置される。ブロックガスケット１０４が基体内部スリーブ９２の基体部分１５０のガスケット溝１７０の内部に配置される。基体内部スリーブ９２の円筒形部分１５２が次にフィルターブロック組立体８８の内側半径方向周面の内部に滑り込みされる。出口逆止ボール１０２はしたがって突起１６２の内部でフィルター組立体２６の頂端部キャップ１０８のカップ部分１４０の下側に保持される。フィルターブロック組立体８８はついでフィルターねじリング９４に螺合されガスケット１０４をフィルターブロック組立体８８と基体内部スリーブ９２との間に保持する。フィルターハウジング９６が基体部分１５０に載るフィルターブロック組立体８８の上に置かれる。フィルターハウジング９６の端部部分１４６がＥＭＡテープ１４８を用いて基体部分１５０の半径方向外側に（ＥＭＡＷＥＬＤ）溶接され、それにより閉鎖された圧力容器又はフィルター組立体２６を形成する。スマートチップ１１２が保持室１８４の中に押込まれる。
【００３９】
ＷＴＳユニット２０の作動の間、水はフィルター組立体２６を通り図６Ｃ〜６Ｄの矢印によって示される経路に沿って走行する。加圧された水がフィルター入口開口１７２で導入され入口逆止ボール１００をそのボール座部１７４から持上げる。（水は入口逆止ボール１００とボール座部１７４が一方向逆止弁を形成するためフィルター組立体２６からフィルター入口開口１７２を通って後側に流れることができないことに注目されたい。）水はフィルターブロック組立体８８の底部フィルター端部キャップ１０６の下側と基体内部スリーブ９２の基体部分１５０の上側とに形成された環状領域を充たす。次に、水は上方に向ってカーボンブロック９０の半径方向外側とフィルターハウジング９６の内側との間に形成された環状領域へと通過する。水はカーボンブロック９０の外側直径部に流入しそして水がその半径方向内周面に向って通過するにつれてろ過される。水はついでカーボンブロック９０と基体内部スリーブ９２の円筒形部分１５２との間に形成された環状空間に受け入れられる。水はその時基体内部スリーブ９２の頂端部分１５４の上方とキャップ部分１３６の下側とを上方に向って通過しなければならない。出口逆止ボール１０２がボール座部１６４に着座され、そして出口逆止ボール１０２が上方に移動しなかったならば水がフィルター組立体２６から流れ出るのを阻止する。これは後述されるようにフィルター組立体２６が正しくランプ組立体２４の上に位置している時にのみ、起きる。フィルター組立体２６が基体ユニット２２から取外されランプ組立体２４から持上げられた時、出口逆止ボール１０２はボール座部１６４に着座しそしてフィルター組立体２６に保持された水はフィルター組立体２６の内部に留まるようになる。
【００４０】
Ｂ．ランプ組立体
図８Ａ〜８Ｃはランプ組立体２４を示す。ランプ組立体２４は基体部分組立体７２、二次コイル７４、底部支持部分組立体７６、頂部支持組立体７８、一対の石英スリーブ８０、ＵＶ電球組立体８２、凝縮Ｏリング８４、及び一対の共働外枠反射器部分組立体８６を含んでいる。
【００４１】
図９Ａ〜９Ｃは基体部分組立体７２を示す。基体部分組立体７２はカップ形状基体２００、出口Ｏリング２０２、楕円形マニホルドシール２０４、及び逆止ボール２０６を含んでいる。基体２００は円筒壁２１０と基体壁２１２とを有する。楕円形壁２１４が基体壁２１２から上方に延びその上面上に楕円形シール段部２１６を有している。楕円形壁２１４の内部に、逆止ボール２０６を収容するためのポケット２２２が設けられた底壁２２０がある。整列溝２２４が円筒壁２１０の内側に沿って垂直方向に延びている。円筒壁２１０には明色パイプポケット２２６が位置している。出口開口２２８が基体壁２１２の下側に配置されたハブ２３０に形成される。一対のＬ字形差込み部材２３２が基体壁２１２の下側に形成される。差込み部材２３２はＷＴＳユニット２０が組立てられる時ランプ組立体２４を出口カップ５８に解放可能に保持する作用をする。溝２３４が出口Ｏリング２０２を収容するためハブ２３０の外側に形成される。
【００４２】
逆止ボール２０６はＵＶランプ組立体２４が基体ユニット２２から取外される時水がランプ組立体２４から漏れるのを防止する。楕円形マニホルドシール２０４が図３７と図３８に最も良く見られるように、基体部分組立体７２と底部支持組立体７６との間をシールする作用をする。出口Ｏリング２０２が基体部分組立体７２と出口カップ５８の内部との間をシールする。
【００４３】
底部支持組立体７６が図１０Ａに分解図で示されまた図１０Ｂ〜１０Ｅにおいて組立てられる。基部支持体２４０が底部覆い２４２と共働し一対のＯリング２４４の周りを保持する。サーミスタ２４６が底部覆い２４２に取付けられる。スマートチップ２５０と明色パイプ２５２とが以下にさらに詳細に記載されるように底部支持組立体７６の内部に保持される。スマートチップ２５０は電気組立体６６と電子的に通信する。スマートチップ２５０はランプ組立体２４の種々の作動パラメータを測定する。明色パイプ２５２はランプ組立体２４内部からのＵＶ光線を電子機器組立体６６上の光センサーによって検知される可視光線に変換する。サーミスタ２４６はランプ組立体２４の内部の温度を感知するよう作動する。これに代え、別体の温度感知回路を用いＷＴＳユニット２０内部の温度を制御してもよい。ＷＴＳユニット２０は自動的に点燈しＷＴＳユニット２０内部の水の凍結するのを阻止する。
【００４４】
基部支持体２４０が図１１Ａ〜図１１Ｃに示されている。一体の底部カップ２６０はそれぞれＯリング２４４を保持するためＯリング座部２６２を有する。一対の矩形差込み開口２６６が用いられ二次コイル７４を基部支持体２４０の下側に固定する。８つの整列リブ２６８が外側周縁に形成され基体２００の溝２２４の内部で基部支持体２４０を整列させる。基部支持体２４０の外周面に一対のＵ字形溝２７０とＬ字形溝２７２が位置している。蝶ネクタイ形状の支持体２７４が基部支持体２４０の中央に形成され底部覆い２４２を基部支持体２４０に超音波溶接するためのエネルギー切換え構造として作用する。図１１Ｃに最も良く見られるように楕円形壁２７６が基部支持体２４０の底部に配置され基部組立体７２（図９Ａ）上の楕円形壁２１４の周りにこれと接触するのに用いられる。中央部に案内開口２８２を有する支持構造２８０がある。２対の長短の位置決めリブ２８４と２８６がＴ字形構造を形成する。リブ２８４と２８６の自由端部は楕円形壁２７６の端部と共に二次コイル７４の内側半径方向周面を案内する作用をする。
【００４５】
底部覆い２４２が図１２Ａ〜１２Ｃに個別に示されている。一対の頂部カップ２９０が基部支持体２４０上で底部カップ２６０と向き合うよう構成されＯリング２４４がその間に保持されるようにする。カップ２９０の各々における開口２９２が石英スリーブ８０（図８Ａ）の下端部を受け入れるようになっている。６個の上方に延びるリブ２９４がほぼ楕円状に配置されＵＶ電球組立体８２（図８Ａ）の下端部を保持するようにする。ほぼ矩形形状のポケット２９６がその内部にスマートチップ２５０と明色パイプ２５２（図１５Ｂ）のありつぎ基体とを収容する大きさとなっている。ポケット２９６は４個の内方に延びるくさび形状のリブ３００によって頂部側に区画形成される。リブ３００は共働して明色パイプ２５２をありつぎ型取付け部に保持する。ポケット２９６の底部は中間と端部の交差部材３０２と３０４によって形成される。ワイヤ開口３０６がポケット２９６から底部覆い２４０の反対側に位置するボス３１０に形成される。ワイヤ開口３０６はサーミスタ２４６の取付け部に適合している。また４個の三角形リブ３１２が底部覆い２４０に形成され外枠部分組立体７６を整列させる作用する。頂部カップ２９０の下側面３１４はＯリング２４４（図１０Ａ）を保持するための座部を形成する。
【００４６】
二次コイル７４が図１３Ａに示されている。コイル７４はその周りに巻かれたワイヤコイル３２６を有する環状ボビン３２０を含んでいる。ワイヤコイル３２６は５０回巻きである。ボビン３２０は一対の直径方向に離間した保持用舌片３２２と一対の開口されたボス３２４とを含んでいる。一対の導線３３０が開口されたボス３２４を通って延びている。保持用舌片３２２は基部支持体２４０の舌片開口２６６（図１１Ａ〜１１Ｃ）の内部に固定し二次コイル７４を底部支持組立体７６（図８Ａ）の下側に固定するようになっている。
【００４７】
スマートチップ２５０が図１４に示されている。スマートチップ２５０は埋込み又は成形されたコンピュータチップ３４２を有する主本体３４０を有している。主本体３４０は矩形部分３４４とくさび部分３４６とを含んでいる。スマートチップ３４２はポケット２９６の中へと摺動され、矩形部分３４４が締まり嵌めで保持されまたくさび部分３４６が外部に延出するようにされる。
【００４８】
明色パイプ２５２が図１５Ａと図１５Ｂに示されている。明色パイプ２５２はわん曲部分３５０とブロック形状の取付け部分３５２とを含んでいる。取付け部分３５２の下側にくさび形状のありつぎ部分３５４がある。ありつぎ部分３５４はポケット２９６（図１２Ａ〜１２Ｃ）の４個のくさび状リブ３０２と係合し明色パイプ２５２を底部覆い２４２に固く締結する。わん曲部分３５０はみがかれかつランプ組立体２４の内部からのＵＶ線を受け取る頂面を含んでいる。このＵＶ線は明色パイプ２５２が螢光を発し明色パイプ２５２の外面３６２を通過するよう反射される可視光線を発するようにする。内側のわん曲面３６４はランプ組立体２４が作動されている時、ＵＶ電球組立体８２の基部と対面し頂面３６０と比べて比較的少ないＵＶ線を実際に受取る。明色パイプ２５２はランプ組立体２４の作動と関連して以下にさらに詳細に記載される。
【００４９】
図１６は頂部支持組立体７８の分解図である。頂部支持組立体７８の構成要素は頂部キャップ３６６と頂部覆い３６８と入口Ｏリング３７０と一対の石英Ｏリング３７２とを含んでいる。頂部キャップ３６６と頂部覆い３６８とは図１７と図１８に別々に示されている。頂部キャップ３６６はその頂端側から上方に延びるボタン３７６を有するデスク本体３７４を有している。ボタン３７６はフィルター組立体２６がランプ組立体２４の上に置かれた時フィルター組立体２６の出口ボール１０２を座部から離すよう作動する。外周面の周りに入口Ｏリング３７０を受け入れる溝３８２を有するフランジ３８０が設けられる。ディスク本体３７４の下側に一対の頂部カップ３８４が配置される。頂部カップ３８４の内部にシール段部３８６が形成される。開口３８８が頂部キャップ３６６を通って延びている。頂部覆い３６８は頂部カップ３８４と共働するようになっている凹所３９２が形成された円形主本体３９０を有している。一対の開口３９４が頂部覆い３６８を通って延びている。石英Ｏリング３７２は頂部カップ３８４と凹所３９２との間に保持され頂部支持組立体７８にシール機構を提供しランプ組立体２４の組立て中に石英スリーブ８０の頂端の周りをシールする。
【００５０】
図１９はランプ組立体２４の分解図を示す。図２０Ａ〜２０Ｂは囲い（外枠）４００の前面図と側面図を示す。外枠と反射器組立体８６はそれぞれ外枠４００と反射器４０２を含んでいる。外枠４００はそれぞれ一対の平面部分４０５の間を連結するわん曲した中央部分４０４を含んでいる。各外枠４００の基部に一対のＬ字形保持舌片４０６が設けられる。外枠４００の各々の長手方向周面に沿って一連のピン４０８と係合孔４１０とを有するフランジ４０７が位置する。一緒に押圧された時、外枠４００は相互に係合し対向するピン４０８と孔４１０が相互に嵌まるよう共働する。外枠４００の頂部に対向する下側及び上側のフランジ４１２と４１４が設けられその間の間隙４１６を受入れる蓋を形成する。間隙４１６はランプ組立体２４が組立てられる時頂部支持組立体７８を受入れる。ほぼ矩形状の開口４２０が外枠４００の頂部に形成されエラストマーのＯリング３７０の一部を収容する。各外枠４００の基部に外側フランジ４２２と内側フランジ４２４が設けられる。内側フランジ４２４は底部支持組立体７６の周りで保持するようになっている。外側フランジ４２２は基部２００によって受けられる。保持舌片４０６は基部２００の内面の溝の内部に受入れられる。外枠４００は一連の長手方向に離間したリブ４２６を有し構造上の強度を高めるようにしている。
【００５１】
図２１Ａと図２１Ｂは典型的な反射器４０２を示す。反射器４０２はフランジ４３０と中央のわん曲部分４３２とを有するほぼオメガ形状の断面となっている。わん曲部分４３２は一定半径の部分４３４と収れんする半径の部分４３６とを含んでいる。一定半径部分４３４はほぼ９０°の角度αにわたって延びている。わん曲部分４３２にわたる曲率半径は一定である。これに対し、収れん半径部分４３６の曲率半径は屈曲点４３８からフランジ４３０まで減少している。
【００５２】
図２２から理解されるように、反射器４０２のこのオメガ（Ω）形状の構造は石英スリーブ８０上のＵＶ線の焦点集中又は反射を高めまたＵＶ電球組立体８２の電球４４０へ反射され又は焦点が集められる光線を最小にする。電球４４０の表面上の各点から垂直又は直角に進む光線はフランジ４３０に近接した収れん半径部分４３６において最大の反射角となり正常の光線の反射角は反射点４３８に向って移動するのを減少する。すなわち、電球４４０の部分が反射器４０２に近くなるほど反射器４０２によって与えられる反射角が大きくなり正常の光線がＵＶ電球組立体８２に戻るのを回避するのを助ける。同様に、石英管８０に直接はね返るには不十分な角度で反射器４０２に衝突する光線は反射器４０２の他の部分に１回又は複数回衝突しそれにより発射電球の１つに衝突するよりはむしろ石英スリーブ８０に衝突するようになる。これらオメガ形状の反射器４０２の使用は完全に円形の断面形状で電球４４０を取巻く反射器を用いるのに比べて、石英管８０に直接衝突し又は内側の鏡の表面に３回以内反射し又ははね返る光線の強さを４０％まで増大させることが見積もられる。反射器４０２は電磁スペクトルのＵＶ線範囲の光を吸収しないで反射する材料で作らなければならない。反射器４０２は一般に平滑で連続したわん曲内面を有するのが好ましいが、切り子面が刻まれた反射器もまた切り子面が電球４４０から出て石英管８０に向う反射された光線を収れんさせ又は焦点を集めるのを高める限り、用いることができる。
【００５３】
図２３ＡはＵＶ電球組立体８２を示す。ＵＶ電球組立体８２はガスが２つの電球４４０の間を通過できるようにする上側通路４４２を有する２つの並んだ発射電球４４０を具備している。一対のフィラメント４４４が各対のリード線（導線）４４６に電気的に接続される。導線４４６はＵＶ電球組立体８２の基部４４８を通過する。導線４３６が二次コイル７４に接続されランプ組立体２４に電力を供給する。ＵＶ電球組立体８２は最も好ましくは９９：１の比率のネオン−アルゴン（Ｎｅ−Ａｒ）ガス混合物で充たされる。５０：５０混合物から９９．５−０．５混合物までの混合物もまた本発明において作動することが想定させる。また、水銀（Ｈｇ）が電球４４０の内部に収容され室温で固体化された状態にある。この水銀はＵＶ電球組立体８２の作動中蒸発される。ネオン−アルゴンガスの混合物は水銀をプラズマ状態にするのを助ける起動器として作用する。ネオン−アルゴンガスの混合物の使用は５０％アルゴンより多いアルゴンを用いるようなガスを用いる通常のＵＶ電球組立体に比べてより高度の瞬間点燈出力を生み出す。また、ネオン−アルゴン混合物の使用は通常のＵＶ電球組立体に見られるよりも電球４４０のより高い壁温度のより高度の全体安定性をもたらす。これはＷＴＳユニット２０を通って冷水が流れるような冷たい天候又は冷たい作動条件において特に重要である。これらの特徴はＷＴＳユニットに用いられる従来のＵＶ電球組立体に比べて改良された強さとより短い起動時間に対して寄与するものとなる。
【００５４】
一方のフィラメント４４４から分配されたエネルギーは通路４４２を通って上方にアーク（電弧）を形成し、他のフィラメント４４４に降下する。この工程でガスは励起され光が生じる。陰極の予熱の間、フィラメントはオレンジ−赤のイオン化を生成する。ネオン−アルゴン混合物が励起され始めるにつれて赤色が発生する。最後にネオン−アルゴンガス混合物のイオン化がＨｇを蒸発させ２５４ナノメートルの波長のＵＶ光線を発生する。ランプ組立体２４の石英スリーブ８０を通過する微生物を殺すのに最も効果的なのはＵＶ線である。
【００５５】
凝縮Ｏリング８４が用いられＵＶ電球組立体８２が石英スリーブ８０と接触しないよう保護する。Ｏリング８４はまたＷＴＳユニット２０の作動中比較的冷い水が通過する石英スリーブ８０への電球４４０からの熱を引出す吸熱器として作用する。ＵＶ電球組立体８２が最初に励起され作動された後、Ｏリング８４に直接接触する電球４４０の部分の温度は電球４４０の隣接する他の部分よりも僅かに冷くなる。したがって、蒸発された水銀のプラズマはランプ組立体２４が遮断された時は何時も凝縮Ｏリング８４に近接した電球４４０の内部で凝縮するようになる。凝縮Ｏリング８４が存在しないと、より多くの水銀がフィラメント４４４の下側のランプ組立体の基部に凝縮するようになる。ランプ組立体２４は凝縮Ｏリング８４の存在によりこれがない場合よりも非常に迅速に所定強度に達することができることが分かった。これは水銀がフィラメント４４４の下側とアーク経路の外よりもフィラメントの間のアーク形成経路で凝縮するからである。
【００５６】
図２３Ｂから図２３Ｄは３つの実験条件のもとに作動するＵＶ電球組立体８２を示す。これら組立体からの出力は図２４にグラフの形式で示されている。第１の場合、図２３Ｂにおいては、ＵＶ電球組立体８２が直立位置に置かれるが、しかし凝縮Ｏリング８４が存在しない。第２の場合、図２３Ｃでは、ＵＶ電球組立体８２がさかさに置かれそれにより凝縮されたＨｇが基部４４８から離れた電球４４０の端部に重力で下降するようになる。さらに、吸熱器が存在しない。最後に、図２３Ｄでは、ＵＶ電球組立体８２が直立位置に置かれ、凝縮Ｏリング８４が存在しまた真ちゅう棒が熱を消散させる吸熱器として用いられている。これら実験のＵＶランプ組立体８４の光の強さの出力は２つの別々の時間ｔ1 とｔ2 で記録された。出力は時間ｔ2 で記録された最高の出力に対して正常化された。
【００５７】
図２４に示されるグラフから、ＵＶ電球組立体８２がその基部が下側にあり吸熱器を用いている第３の場合に時間ｔ2 で１．０の最高の正常化された強度を生ずることが分かる。第２の最高の性能は基部がさかさまに又は上側にされ吸熱器のない第２の実施態様で生じ、第３の場合の０．８４倍の正常出力が得られた。最後に、吸熱器がなくＵＶ電球組立体が直立位置の第１の場合は第３の場合の基部が下側で吸熱器のある強さのたった０．５６場合の強度のＵＶ電球組立体８４の最も遅い起動を生じた。したがって凝縮Ｏリング８４の存在は実質的に瞬間的な起動と強度を有するＵＶ電球組立体８４の使用が望まれる本発明にとって有利である。この強度を最高にするための迅速な立上りはランプ組立体２４が連続的でなく間けつ的に作動されしかも微生物の十分な殺菌が依然として行われるようにする。本実施態様には用いられていないが、Ｏリング８４の周りをＡｌ箔で巻いたような他の付加的な吸熱器を用いることができる。
【００５８】
明色パイプ２５２が以下にさらに詳細に記載される。明色パイプ２５２は好ましくはＶ８２６として示されほぼ透明で１％より低い又は１％の螢光緑色染料が混合されたアクリルで作られる。この緑色染料はその名称６０−３１７０のもとにミシガン，ホランドのユニフォームカラーから入手可能である。この染料は波長が２５４ナノメートルのようなＵＶ線が衝突した時螢光を発するようになっており、緑色帯の可視光線を発するようになる。この緑色は明色パイプ２５２を通して光の非常に有効な伝達をもたらししかも他の色の通過を厳しく妨げることを示した。例えば、ＵＶランプ組立体７２で水銀によって生じた青色光の部分が明色パイプ２５２を通過しそれによりＵＶ線が明色パイプ２５２に衝突しなかった時この光がＷＴＳユニット１０の外側から見えるようにする。したがって、使用者は青色の輝きの存在によりランプ組立体２４が作動されているかいないかを見分けることができる。しかし、明色パイプ２５２を通過することのできる青色の光の強度は非常に減少される。その結果、電子機器組立体６６上の光センサーが主としてパイプ２５２に衝突するＵＶ線による螢光によって生じた可視光線の強度を感知しランプ組立体２４によって発生された他の可視光線を感知しない。したがって、明色パイプ２５２は殆んど帯域通過フィルターとして作動する。
【００５９】
幾何学的には、明色パイプ２５２は前方がわん曲した内側表面３６４と頂部表面３６０とを有している。また、取付けブロック３５２の端部に光を発する外側表面３６２がある。頂部表面３６０と発射外側表面３６２とは共に高度にみがかれ光線を容易に受け又は伝達するようにしている。内側表面３６４に入る光の多くは、明色パイプ２５２が図３９に最も良く見られるようにフィラメント４４４の近くに配置されているのでＵＶ電球組立体８２のフィラメント部分からのものである。フィラメント４４４から発せられた光は通常は可視光線の赤色範囲であり容易には明色パイプ２５２を通って伝達されない。図２５Ｃと図２５Ｆに示されるように、頂部表面３６０は僅かにわん曲され内面３６４から外側表面２６２に向って下方に傾斜している。これは頂部表面３６０が鏡面の反射器４０２の中ほどの長さに向って焦点が集められまたランプ組立体２４の大部分からＵＶ線を受取ることができるようにする。ＵＶ線が頂部表面３６０に衝突した時、明色パイプ２５２の染料が螢光を発し緑の可視光線スペクトルの光を発する。この目に見える緑色光は明色パイプ２５２の内面によって反射され、図２５Ｆによって示されるように発射外側表面３６２の外に案内される。明色パイプ２５２に緑の螢光染料を利用することにより、明色パイプ２５２からの可視光線出力の強度はランプ組立体２４の内部で生じたＵＶ線にほぼ正比例することが分かった。したがって発射外側表面３６２から発せられた可視光線を感知することにより、ランプ組立体２４のＵＶ線の強度を直接監視することができる。この出力が直線状でなかったならば、コンピュータチップとルックアップ表は外側表面３６２からの光の出力と電球組立体８２によるＵＶ線強度出力との間の関係を確立するのに利用することができる。しかし、このコンピュータとルックアップ表とに対する余分の必要性はモニター回路の複雑性とコストを大きく増大させる。ＵＶ線でなく可視光を測定することは安価な可視光検知器とアクリルの明色パイプを、より高価なＵＶ線検知器と石英窓又は明色パイプを用いることを要しないで、用いることができるようにする。
【００６０】
本発明はまた明色パイプ２５２からの色の出力を監視しランプ組立体２４の温度を監視することができるようにすることを意図する。ＵＶランプ組立体８２がＵＶ線を出力せずその代わりにフィラメント又はネオン−アルゴンガスの混合物によって発せられた可視光線を伝達している時は、非常に低い強度の光が外側表面３６２から出力される。また、色は、電球組立体が高い強度で作動している時に通常出力される緑の色とは相違するものとなる。
【００６１】
ランプ組立体２４は次のように組立てられる。第１の段階は基部支持組立体７６を組立てることである。図１０Ａに示されるように、Ｏリング２４４が基部支持体２４０と底部覆い２４２との間に保持される。スマートチップ２５０がポケット２９６の中に押し嵌めされ明色パイプ２５２がポケット２９６の上にありつぎで取付けられる。基部支持体２４０と底部覆い２４２が次に一緒に超音波溶接される。図８Ａを参照すると、二次コイル７４が舌片３２２により基部支持体２４０の差込み開口２６６に取付けられ、導線３３０が底部支持組立体７６から外に延びるようにする。頂部支持組立体７８が次に図１６に示されるように組立てられ、石英Ｏリング３７２が共に超音波溶接された頂部キャップ３６６と頂部覆い３６８との間に保持されるようにする。Ｏリング３７０が頂部キャップ４２２の溝３８２の内部に保持される。
【００６２】
ＵＶ電球組立体８２が底部支持組立体７６の電球受けリブ２９４の中に置かれ導線４４０が基部支持体２４０の溝２７０と２７２を通って延びるようにする。ついで、石英スリーブ８０が基部組立体２０６のＯリング２４４の中に押込まれる。次に、凝縮Ｏリング８４がＵＶ電球組立体８２の頂部の上に摺動下降され石英スリーブ８０と電球４４０との間に正しい位置決めを保持する。頂部支持組立体７８が次に石英管８０の上に置かれ石英Ｏリング３７２が石英管８０の外側の周りをシールするようにする。
【００６３】
反射器４０２が各外枠４００の内部に並置され外枠４００のわん曲部分４０４と外枠４０２のわん曲部分４３２との間に接着剤が塗布される。第１の外枠反射器組立体８６が取付具（図示しない）に水平に置かれる。ついでＵＶ電球組立体８２、石英管８０からなる組立体と底部及び頂部支持組立体７６及び７８が組立体８６の一方の半体部分に置かれる。次に反射器と外枠の組立体８６の残りの半体部分が第１の組立体８６の上に下降され案内ピン４０８が係合孔４１０の中に押込まれる。この２つの外枠組立体８６は一緒に超音波溶接され外枠４００の各側に沿うフランジ４０７が一緒に超音波溶接される。
【００６４】
次に基部組立体７２が底部支持組立体７６に取付けられる。ボール２０６が最初基部２００のポケット２２２に挿入される。基部組立体７２がついで底部支持組立体７６の下側に取付けられ明色パイプ２５２が基部組立体７２のポケット２２６から外に延びるようにする。したがって、ＵＶ電球組立体８２からのＵＶ線が明色２５２に衝突すると、可視の緑色の光線がランプ組立体２４の外に見えるようになる。マニホルドシール２０４は基体２００と基部支持体２４０との間にシールを形成する。
【００６５】
Ｃ．基体ユニット
図２６Ａ〜２６Ｃは底部覆い組立体６０を頂面図、底面図及び分解図で示す。底部覆い組立体６０は底部覆い３２と、入口及び出口エルボー組立体６２及び６４と、４個の足パッド５８２と、スピーカースクリーン５８４と、電話ジャックカバー５８６と、一対のＣ−クリップ５８８とを含んでいる。Ｃ−クリップ５８８は入口及び出口エルボー組立体６２及び６４を底部覆い３２に固定する。入口及び出口エルボー組立体６２及び６４は入口エルボー５９０と出口エルボー５９２とＯリング５９４とコレット５９６とアダプター５９８とから構成されている。
【００６６】
底部覆い３２が図２６Ｃに示されている。外周壁６０２が立上り受け台６０６を取巻く凹所６０４に近接して配置される。３個のねじ付きボス６１０が内部スリーブ５０を底部覆い３２に固定するねじを受けるようになっている。周壁６０２と立上り受け台６０６との間に延びる一対の立上りリブ６１２と４個の保持リブ６１４が前後の覆い３４と３６を位置決めするのに用いられる。同様に、４個の立上り断面形状のリブ６１６が電気組立体６６を支持するのに用いられる。２つの位置決めボス６２０が取付けピンを出口カップ５８に案内するのに用いられる。入口及び出口開口６２２及び６２４はＣクリップを用いるエルボー６２と６４を受入れる大きさとなっている。正方形の開口６２６が電気組立体６６上の電話ジャッキに接近できるようになっている。アーチ６３２と６３４が底部覆い２２の下側に形成され水をＷＴＳユニット２０に送りまたＷＴＳユニットから送り出す入口及び出口ホース（図示しない）に適合できるようにする。
【００６７】
電子機器組立体６６が図２７Ａ〜２７Ｆに示されている。電子機器組立体６６の構成要素は、下側板６４８、上側板６５０、電話ジャッキ６５２、一次コイル６５６、スマートセンサー組立体６５４、電力ジャッキ６６０、ホール効果センサー６６２、ＶＦＤ  ６６４、スピーカー６６６及び磁気センサー６６８を含んでいる。一次コイル６５６は１０回巻きのワイヤを保持する。クリップ６７０がＶＦＤ  ６６４を上側板６５０に保持する。下側板６４８は一対の支持体接近ボス開口６７２とセンサー６６２が配置される出口開口６７４と入口開口６７６とを有している。支持体接近開口６７２は底部覆い３２をボス６１０が通過できるようにする。入口及び出口開口６７４と６７６が内部スリーブ５０と出口カップ組立体５６に対し水が流入し流出するのに適合している。下側板６４８の周面は底部覆い２２の段付きリブ６１６によって支持されるような形状となっている。スマートセンサー組立体６５４はコイル６７４と明色センサー６７６とを含んでいる。コイル６７４は電力フィルター及びランプ組立体のスマートチップ１１２及び２５０と応答するよう配置される。明色センサー６７６は明色パイプ２５２からの可視光出力を受取る。磁気センサー６６８が上側板６５０に取付けられ頂部覆い４０と磁石７０が基体ユニット２２の残り部分に正しく取付けられた時を感知する。
【００６８】
出口カップ組立体５６は図２８Ａ〜２８Ｄに示されるように、出口カップ５８、上側軸受７０４、流れ調整器７０６、下側軸受７１０、及び明色パイプカップ７１２を含んでいる。出口カップ５８は、基部壁７１４と、段部７２２と上側フランジ７２４によって接合された上下の側壁７１６及び７２０とを有している。図２８Ｂを参照すると、一対の保持カバー７２６が基部壁７１４に超音波溶接され基部壁７１４に形成されたＬ字形開口７２８の周りをシールする。開口７２８はランプ組立体２４の底部に位置する舌片２３２を差込み式に取付ける作用をする。上側及び下側の側壁７１６及び７２０の部分に下側及び上側の段部７３０及び７３２が形成される。段部７３０と７３２はランプ組立体２４が捩られ出口カップ組立体５６に対して取付けられまた取外されるとき明色パイプ２５２とポケット２９６の回転に適合できるようにする。下側壁７１６の開口７３４は明色パイプカップ７１２がその中に取付けられるようにする。ランプ組立体２４が出口カップ組立体５６に所定位置でロックされると、明色パイプ２５２は開口７３４と明色パイプ２５２が開口７３４と明色パイプカップ７１２とに整列される。明色パイプカップ７１２は図４１に示されるように、明色センサー６７６と整列される。
【００６９】
基部壁７１４から通路７３８が貫通して延びている導管７３６が吊り下げられている。カラー７４０が導管７３６の上端に形成されている。通路７３８の内側は４つの長手方向に延びる溝７４２を有する。上側及び下側の軸受７０４と７１０の各々は溝７４２に受入れられ出口カップ５８に対する軸受７０４と７１０の回転を阻止するリブ（図示しない）を有している。上側軸受７０４が先のとがった上端を有しカラー７４０の上方に延びていることに注目されたい。ランプ組立体２４が出口カップ５８に取付けられた時、上側軸受７０４はランプ組立体２４の基部２００に保持された逆止ボール２０６を座部から離し水が通過し流れ調整器７０６に流れ次に出口エルボー組立体６４に流れるようにする。ランプ組立体２４が出口カップ５８から取外されると、逆止弁２０６は再び着座し水がランプ組立体２４の底部から流れ出るのを阻止するようになる。
【００７０】
下側及び上側軸受７０４と７１０は一対のらせん羽根を有する流れ調整器７０６を回転可能に支持する。この羽根の一方に磁気チップが埋込まれる。流れ調整器７０６が回転するにつれて、流路効果センサー６６２が磁気チップにより発生された通過磁界を捕えそれによりＷＴＳユニット２０の流量を検知する。基部壁７１４の底部側に、底部覆い３２のボス６２０に受入れられるような形状の一対の段付き位置決めピン７４４が位置している。切抜き７５０がフランジ７２４に形成され内部スリーブ５０の水送り導管に適合するようにしている。
【００７１】
図３７に最も良く見られるように、入口弁組立体５４が内部スリーブ５０に取付けられ下部覆い組立体６０の入口エルボー組立体６２をフィルター組立体２６の入口開口１７２に流体が連通するようにする。図２９Ａから図２９Ｃは入口弁組立体５４を別々に示す。入口弁組立体５４の構成要素は入口弁ハウジング７６０、入口スプリング７６２、入口逆止ボール７６４、入口分枝部７６６、入口カップシール７６８、及び一対のエラストマーＯリング７７０を含んでいる。入口弁ハウジング７６０はＯリング７７０を受入れるための一対の縮径端部７７２と７７４を有する。入口弁ハウジング７６０の内部穴７７５は段付けされ入口スプリング７６２の端部を受入れるための座部７７６を含んでいる。入口逆止ボール７６４は入口スプリング７６２の上に載りフィルター組立体２６が内部スリーブ５０に取付けられた時入口分枝部７６６によって押し下げられる。フィルター組立体２６がＷＴＳユニット２０から取外されると、入口逆止弁７６４は着座し水が入口弁組立体５４を通過してフィルター組立体２６がないことにより空になっている室に流入するのを阻止する。一対のシールビード７８０が、内部スリーブ５０と共にシールするのを助ける入口カップシール７６８の外側に形成される。入口分枝部７６６と入口カップシール７６８はかみ合いリブと溝７８４及び７８６とを有しその間の相対回転を阻止する。
【００７２】
図３０Ａから図３０Ｃは内部スリーブ５０と３つのカバー５２とを示す。図３１Ａから図３１Ｄは出口カップ組立体が溶接された内部スリーブ５０を示す。内部スリーブ５０はその上側周面の周りに延びる周方向延出フランジ８０４を有している。内部スリーブ５０は下方にわん曲し下方の前側部分８０８に合致する立上り後側部分８０６を有する。前側部分８０８の前方に、上側回路板６５０を保持するための一対の離間した溝つき保持リブ８１０が形成されている。図３０Ｂと図３０Ｃを見ると、内部スリーブ５０の基部は３つのＬ字形保持開口８１２を含みフィルター組立体２６の保持舌片１８０を受入れるようにする。開口８１２に近接してフィルター組立体２６の底部の対応傾斜扇形縁１７８と共働する３つの傾斜部８１３が設けられる。傾斜部８１２と扇形縁１７８はフィルター組立体２６が内部スリーブに取付けられ又は取外される時にフィルター組立体２６を下降し上昇させるのを助ける。カバー５２は各保持用開口８１２の下側に溶接され内部スリーブ５０の底部を漏水がないようにシールする。中央開口８１４が内部スリーブ５６の底部に形成され出口カップ組立体５８を受入れるようにする。３個のスペーサ脚８１６が内部スリーブ５０の基部の周りに周方向に離間して配置され３つのボス６１０と共働し底部覆い２２を内部スリーブ５０に取付けるねじを受入れるようになっている。ねじはボス６１０を通過しスペーサ脚８１６の孔８１７にねじ込まれる。
【００７３】
水入口導管８１８が内部スリーブ５０の基部に形成される。図３１０と図３７に最も良く見られるように、導管８１８が下側導管部分８２０、上側導管部分８２２及び中間頸部分８２４を含んでいる。下側導管部分８２０が入口弁組立体５４のスプリング７６２とボール７６４を受けまた上側導管部分８２２が入口分枝部７６６と入口カップシール７６８とを摺動自在に保持する。段部７２６が中央開口８１４を取巻く。段部７２６は出口カップ組立体５６のフランジ７２４と係合しそれにより超音波溶接された接合部７３０がその間に形成できるようにする。
【００７４】
図３２Ａ〜３２Ｃと図３３Ａ〜３３Ｃとを参照すると、レンズ４２と前部覆い３６が示されている。前部覆い３６は前側部分８５０と後方に延びる一対の側方部分８５２とを有するほぼＵ字形に形成されている。前側部分８５０の前方にレンズ４２の下縁と側面とを受入れるようになっているレンズ受け開口８５４が形成される。一対の垂直溝８５６が前側部分８５０の底部に配置される。２対のフックつき突起８６０が側壁８５２の内側に沿って後方に延びている。側壁８５２の頂端に成形フランジ８６２が配置される。図３３Ｃに最も良く見られるように、レンズ４２はレンズ受け開口８５４と係合する。他の構成要素と共に組立てる前にレンズ４２はレンズ受け開口８５４に超音波溶接され組立体を形成する。
【００７５】
後部覆い３４が図３５Ａ〜３５Ｅに示されている。後部覆い３４は後部部分９０２と一対の前方に延びる側方部分９０４とを含んでいる。側方部分９０４の内部に沿って２対の内部リブ９０６が前方に延びている。リブ９０６の各々の前端部に、前部覆い３６のフックつき突起８６０と解放可能に共働するような構造の保持凹所９１０がある。成形され段部が形成された頂部フランジが後部覆い３４の頂部を横切って延びている。同様に、底部フランジ９１４が後部覆い２４の底部を横切って延び底部覆い３４の凹所の内部に受入れられるような形状となっている。電力プラグ組立体４４が後側部分９０２の下方部分を通って延びこの下方部分によって保持されている。
【００７６】
図３５Ａと図３５Ｂは頂部覆い４０と磁石保持器６８と磁石７０とを示す。図３６Ａ〜３６Ｄは頂部覆い４０を独立して示す。頂部覆い４０は前側部分９４０、一対の側方部分９４２、後側部分９４４及び頂部壁９４６を含んでいる。下側フランジ９４８が頂部覆い３０の下側周面の周りに延び後側及び前側の覆い２４及び２６の上側フランジと合致するような構造となっている。上側レンズ受け開口９５０がレンズ９３２の上側部分の外形に合致するように形成されている。磁石保持器６８が開口９５０に近接して取付けられ電気組立体６６上の磁石センサー６６８の近くで磁石７０を保持する。この磁石７０とセンサー６６８は頂部覆い４０が取外された時ＷＴＳユニット２０への電力を遮断するよう作動する。
【００７７】
Ｄ．組立体及び作用
基体ユニット２２は次のように組立てられる。内部スリーブ５０が取付け具（図示しない）の上側に置かれる。カバー５２が内部スリーブ５０の底部に超音波溶接され内部スリーブ組立体を形成する。出口カップ組立体５６が次に組立てられる。出口カップ５８はこれに超音波溶接されたカバー７２６を有する。上側及び下側軸受７０４及び７０６と流れ調整器７０６とが出口カップ５８の底部の通路７３６の内部に配置される。また、明色パイプカップ７１２が出口カップ５８の開口７３４に取付けられる。出口カップ組立体５６が次に内部スリーブ５０の底部の内部に置かれ、フランジ７２４が中央開口８１４に近接して内部スリーブ５０に溶接され溶接接合部８３０を形成するようにする。次に入口弁組立体５４が図２９Ａ〜２９Ｃと図３７に示されるように内部スリーブ５０の導管８１８に取付けられる。入口弁ハウジング７６０、入口スプリング７６２及び入口逆止ボール７６４が導管８１８の下側導管部分８２０の内部に置かれ、Ｏリング７７０が入口弁ハウジング７６０の上側部分と下側導管部分８２０との間にシールを形成するようにする。入口カップシール７６８と入口分枝部７６６が導管８１８の頸部分８２４の内部に置かれ、シールリング７８０が導管８１８の内部をシールするようにする。
【００７８】
電子機器組立体６６が次に内部スリーブ組立体に取付けられる。下側板７４８が出口カップ５８の底部の上に置かれる。上側板６５０のフランジが内部スリーブ５０の前方で溝つき保持リブ８１０の内部に受け入れられる。レンズ４２が前部覆い３６に超音波溶接される。前部覆い３６と後部覆い３４は次に内部スリーブ５０に取付けられる。電子機器組立体６６上のＶＦＤディスプレイ６６４がレンズ４２と整列される。
【００７９】
底部覆い組立体６０が次に組立てられる。入口及び出口のエルボー組立体６２及び６４が底部覆い３２に固定される。底部覆い組立体６０が電子機器組立体６６と出口カップ組立体５８との上に置かれる。立上りリブ６１２が下側板７４８の縁に対する支持体を提供する。入口及び出口のエルボー組立体６２及び６４がそれぞれ入口弁ハウジング７６０の下側段部７７２と出口カップ５８の導管７３６とを受入れる。段つき位置決めピン７４４が下側板７４８を通過し底部覆い３２の位置決めボス６２０に受入れられる。取付けボス６１０の２つが下側板７４８のボス開口６７２を通過する。第３のボス６１０が図４０と図４１に見られるように下側板７４８の外側を通過する。取付けボス６１０が内部スリーブ８５０の取付け脚８１６と合致する。３つのねじが取付けボス６１０に挿入され、取付け脚８１６の開口８１７の中に自己−タップ立てするねじが底部覆い組立体６０を、頂部覆い４０を除き、基体ユニット２２の組立を完成する内部スリーブ組立体と後部及び前部の覆い３４及び３６とに固定する。
【００８０】
ランプ組立体２４は差込み式に取付けられ保持舌片２３２が解放可能に出口カップ５８のＬ字形保持開口７２６と係合する。同様な方法で、フィルター組立体２６がランプ組立体２４の上に同軸に置かれ、フィルター組立体２６の保持舌片１８０が内部スリーブ５０のＬ字形保持開口８１２に差込み式に取付けられる。フィルター組立体２６が取付けられるにつれて、フィルター組立体２６は傾斜凹所の上を下降する。
【００８１】
頂部覆い４０はこれに取付けられた磁石保持器６８を有する。磁石７０が次に磁石保持器６８の内部に置かれる。頂部覆い４０がフィルター組立体２６と後部及び前部の覆い３４及び３６との上に置かれＷＴＳユニット２０の組立てを完了する。磁石７０が電子機器組立体６６の磁気センサーの近くに配置されそれによりＷＴＳユニット２０が励勢されるようにする。
【００８２】
図３７を見ると、水が底部覆い３２の下側の出口組立体６２に流入し入口弁組立体５４へと通過する。入口弁組立体５４が水を内部スリーブ５０を通って分配しフィルター組立体２６の入口開口１７２に達するようにし、未処理水が入口ボール１００をその座部１７４から持上げる。未処理水は底部フィルター端部キャップ１０６の下側を通過しそしてフィルターハウジング９６に衝突するまで半径方向外側に流れる。この未処理水は次に上方に流れフィルターハウジング９６とフィルターブロック９０の半径方向外側との間に形成された空間の中に入る。未処理水はそれから基部の内部スリーブ９２に到達するまでフィルターブロック９０を通って半径方向内側に流れる。水は頂部フィルターキャップ１０８に到達するまで上方に向って通過する。ここでろ過された水はフィルター端部キャップ１０８のキャップ部分１３６の下側と基体の内部スリーブ９２の頂端部分の上とを半径方向内側に流れる。
【００８３】
フィルター組立体２６の内部に取付けられたランプ組立体２４により、ランプ組立体２４の頂端のボタン３７６が出口逆止ボール１０２を基体の内部スリーブ９２の座部１６４から変位させる。ろ過された水はフィルター組立体２６から出てその出口開口１６０を通り頂部支持組立体７８の開口３８８を通ってランプ組立体２４に入りそして石英スリーブ８０の中に入る。ろ過された水はＵＶ電球組立体８２からＵＶ線が放射される。ＵＶ電球組立体８２は電子機器組立体６６の一次コイル６５６から電力を受取る二次コイル７４によって電力が供給される。ランプ組立体２４の内部で発生されたＵＶ線は明色パイプ２５２に衝突し該パイプの螢光染料に螢光を発生させ可視光線を生じる。この可視光線は明色パイプ２５２を通過し明色パイプカップ７１２を通り可視光センサー６７６に到達する。フィルター及びランプのスマートチップ１１２及び２５０がスマートセンサー組立体６５４に密接して配置されていることに注意されたい。
【００８４】
さて図３８を参照すると、ろ過された水は底部支持組立体７６に到達するまでＵＶ電球組立体８２からＵＶ線が放射される。反射器４０２から反射されたＵＶ線は石英スリーブ８０に向けられる光の量を増すのを助ける。ろ過されかつ放射された水は底部支持組立体７６の開口２６４を通過し基体７２に集められる。水は逆止ボール２０６が頂部軸受７０４によって座部から離れたままとなっているため基体７２の出口開口２２８を通ってランプ組立体７２から出る。この完全に処理された水は回転子すなわち流れ調整器７０６を通過しこれを回転する。ホール効果センサー６６２が流れ調整器７０６を回転させることにより発生された通過磁界をピックアップしＷＴＳユニット２０を通る流量を決定する。処理された水は次に出口エルボー組立体６０を通ってＷＴＳユニット２０を出る。
【００８５】
上記の詳細な記載において本発明は一定の好ましい実施態様に関して記載されまた多くの細部が例示の目的で記載されてきたが、当業者にとって本発明が変更することができまたここに記載された一定の細部は本発明の基本的な原理から離れることなく多く変更できることが理解されるであろう。
【００８６】
例えば、微生物を殺すのに必要なＵＶ放射線を発するランプ組立体のような第２の水処理装置を用いずに、他の処理装置を用いることができる。実施例はオゾン発生器、無機質の添加物の調合器、イオン交換器、又は水を処理するための中空繊維媒体を用いる装置を含むことができる。これらの第２の水処理装置は理想的にはまたフィルター組立体の内部スリーブによって区画形成された室の中に配置される。これらの第２の水処理装置はまた水処理装置の作動を制御する基体ユニットの一次コイルによって誘導式に電力が供給されてもよい。さらに、弁と弁座の組は第２の水処理装置を基体ユニット、フィルター組立体及びランプ組立体について上記したのと同様の方法でシールするよう使用することができる。
【図面の簡単な説明】
【００８７】
【図１】本発明により構成されたＷＴＳユニットの斜面図である。
【図２】ＷＴＳユニットの左側面図である。
【図３】ＷＴＳユニットの背面図である。
【図４】頂部覆いが取外されフィルター組立体とランプ組立体とが基体ユニットから取外されたＷＴＳユニットの基体ユニットの斜面図である。
【図５】ＷＴＳユニットの主構成要素の分解斜面図である。
【図６Ａ】フィルター組立体の分解図である。
【図６Ｂ】フィルター組立体の正面図である。
【図６Ｃ】図６Ｂの６Ｃ−６Ｃ線に沿った断面図である。
【図６Ｄ】図６Ｃの６Ｄで示す囲まれた部分の拡大破截図である。
【図６Ｅ】図６Ｃの６Ｅで示す囲まれた部分の拡大破截図である。
【図７Ａ】基体と内部スリーブの頂部斜面図である。
【図７Ｂ】基体と内部スリーブの底部斜面図である。
【図７Ｃ】基体と内部スリーブの前面図である。
【図７Ｄ】図７Ｃの７Ｄ−７Ｄ線に沿った断面図である。
【図７Ｅ】基体と内部スリーブの頂面図である。
【図７Ｆ】基体と内部スリーブの底面図である。
【図８Ａ】ランプ組立体の分解斜面図である。
【図８Ｂ】ランプ組立体の正面図である。
【図８Ｃ】ランプ組立体の頂面図である。
【図９Ａ】ランプ組立体の基部組立体の分解斜面図である。
【図９Ｂ】ランプ組立体の基部組立体の頂面図である。
【図９Ｃ】図９Ｂの９Ｃ−９Ｃ線に沿った断面図である。
【図１０Ａ】ランプ組立体の基体部分組立体の分解斜面図である。
【図１０Ｂ】同上基体部分組立体の正面図である。
【図１０Ｃ】同上基体部分組立体の底面図である。
【図１０Ｄ】同上基部小組立体の断面図である。
【図１０Ｅ】同上基体部分組立体の頂面図である。
【図１１Ａ】基体部分組立体の基部支持体の斜面図である。
【図１１Ｂ】同上基部支持体の頂面図である。
【図１１Ｃ】同上基部支持体の底面図である。
【図１２Ａ】基体部分組立体の底部覆いの斜面図である。
【図１２Ｂ】同上底部覆いの頂面図である。
【図１２Ｃ】同上底部覆いの底面図である。
【図１３Ａ】二次コイルの斜面図である。
【図１３Ｂ】スプールの頂面図である。
【図１３Ｃ】図１３Ｂの１３Ｃ−１３Ｃ線に沿った断面図である。
【図１４】スマートチップの斜面図である。
【図１５Ａ】明色パイプの後部斜面図である。
【図１５Ｂ】明色パイプの後面図である。
【図１６】頂部支持組立体の分解斜面図である。
【図１７】頂部キャップの底部斜面図である。
【図１８】頂部覆いの頂部斜面図である。
【図１９】ランプ組立体の分解斜面図である。
【図２０Ａ】囲いの内側正面図である。
【図２０Ｂ】囲いの側面図である。
【図２１Ａ】反射器の斜面図である。
【図２１Ｂ】反射器の頂部端面図である。
【図２２】典型的な反射されたＵＶ光線を示すランプ組立体の全体断面図である。
【図２３Ａ】ＵＶ電球組立体の正面図である。
【図２３Ｂ】ＵＶ電球組立体の概略直立図である。
【図２３Ｃ】ＵＶ電球組立体の転倒図である。
【図２３Ｄ】ＵＶ電球組立体の吸熱器を備えた直立図である。
【図２４】図２３Ｂ〜２３ＤのＵＶ電球組立体によって発生された相対光強度のグラフである。
【図２５Ａ】明色パイプの拡大前側斜面図である。
【図２５Ｂ】同上パイプの拡大頂面図である。
【図２５Ｃ】同上パイプの拡大後面図である。
【図２５Ｄ】同上パイプの拡大前面図である。
【図２５Ｅ】同上パイプの拡大底面図である。
【図２５Ｆ】同上パイプの拡大側面図である。
【図２６Ａ】底部覆い組立体の頂面図である。
【図２６Ｂ】同上組立体の底面図である。
【図２６Ｃ】同上組立体の分解斜面図である。
【図２７Ａ】電子機器組立体の後側斜面図である。
【図２７Ｂ】同組立体の前側斜面図である。
【図２７Ｃ】同組立体の後面図である。
【図２７Ｄ】同組立体の頂面図である。
【図２７Ｅ】同組立体の側面図である。
【図２７Ｆ】同組立体の底面図である。
【図２８Ａ】出口カップ組立体の底部斜面図である。
【図２８Ｂ】同組立体の頂面図である。
【図２８Ｃ】図２８Ｂの２８Ｃ−２８Ｃ線に沿った断面図である。
【図２８Ｄ】図２８Ｂの２８Ｄ−２８Ｄ線に沿った断面図である。
【図２９Ａ】入口弁組立体の分解図である。
【図２９Ｂ】同組立体の正面図である。
【図２９Ｃ】図２９Ｂの２９Ｃ−２９Ｃ線に沿った断面図である。
【図３０Ａ】内部スリーブ組立体の分解斜面図である。
【図３０Ｂ】同組立体の頂面図である。
【図３０Ｃ】同組立体の底面図である。
【図３１Ａ】内部スリーブと出口カップ組立体の斜面図である。
【図３１Ｂ】同組立体の底面図である。
【図３１Ｃ】同組立体の前面図である。
【図３１Ｄ】図３１Ｂの３１Ｄ−３１Ｄ線に沿った断面図である。
【図３２Ａ】前部覆いとレンズの組立体の分解斜面図である。
【図３２Ｂ】同組立体の頂面図である。
【図３２Ｃ】同組立体の前面図である。
【図３３Ａ】前部覆いの後側斜面図である。
【図３３Ｂ】前部覆いの後面図である。
【図３３Ｃ】前部覆いの頂面図である。
【図３４Ａ】後部覆いの前側斜面図である。
【図３４Ｂ】後部覆いの後側斜面図である。
【図３４Ｃ】後部覆いの頂面図である。
【図３４Ｄ】後部覆いの後面図である。
【図３４Ｅ】後部覆いの側面図である。
【図３５Ａ】頂部覆い組立体の前側斜面図である。
【図３５Ｂ】同組立体の頂面図である。
【図３６Ａ】頂部覆いの前側斜面図である。
【図３６Ｂ】頂部覆いの前面図である。
【図３６Ｃ】図３６Ｂの３６Ｃ−３６Ｃ線に沿った断面図である。
【図３６Ｄ】頂部覆いの頂面図である。
【図３７】ＷＴＳユニットの図３の３７−３７線に沿った拡大断面図である。
【図３８】図２の３８−３８線に沿った拡大断面図である。
【図３９】図４０の３９−３９線に沿った拡大断面図である。
【図４０】図３９の４０−４０線に沿った断面図である。
【図４１】図３９の４１−４１線に沿った断面図である。
【図４２】図３９の４２−４２線に沿った断面図である。
【図４３】図３９の４３−４３線に沿った断面図である。
【符号の説明】
【００８８】
２０    水処理装置（ＷＴＳ）ユニット
２２    基体ユニット
２４    ランプ組立体
２６    フィルター組立体
４２    レンズ
４４    電力プラグ組立体
５０    内部スリーブ
５８    出口カップ
７４    二時コイル
８０    石英スリーブ
８２    ＵＶ電球組立体
８６    反射器部分組立体
８８    フィルターブロック組立体
９０    フィルターブロック
９２    基体内部スリーブ
９６    フィルタハウジング
【図１】
2005313173.tif 000003
【図２】
2005313173.tif 000004
【図３】
2005313173.tif 000005
【図４】
2005313173.tif 000006
【図５】
2005313173.tif 000007
【図６Ａ】
2005313173.tif 000008
【図６Ｂ】
2005313173.tif 000009
【図６Ｃ】
2005313173.tif 000010
【図６Ｄ】
2005313173.tif 000011
【図６Ｅ】
2005313173.tif 000012
【図７Ａ】
2005313173.tif 000013
【図７Ｂ】
2005313173.tif 000014
【図７Ｃ】
2005313173.tif 000015
【図７Ｄ】
2005313173.tif 000016
【図７Ｅ】
2005313173.tif 000017
【図７Ｆ】
2005313173.tif 000018
【図８Ａ】
2005313173.tif 000019
【図８Ｂ】
2005313173.tif 000020
【図８Ｃ】
2005313173.tif 000021
【図９Ａ】
2005313173.tif 000022
【図９Ｂ】
2005313173.tif 000023
【図９Ｃ】
2005313173.tif 000024
【図１０Ａ】
2005313173.tif 000025
【図１０Ｂ】
2005313173.tif 000026
【図１０Ｃ】
2005313173.tif 000027
【図１０Ｄ】
2005313173.tif 000028
【図１０Ｅ】
2005313173.tif 000029
【図１１Ａ】
2005313173.tif 000030
【図１１Ｂ】
2005313173.tif 000031
【図１１Ｃ】
2005313173.tif 000032
【図１２Ａ】
2005313173.tif 000033
【図１２Ｂ】
2005313173.tif 000034
【図１２Ｃ】
2005313173.tif 000035
【図１３Ａ】
2005313173.tif 000036
【図１３Ｂ】
2005313173.tif 000037
【図１３Ｃ】
2005313173.tif 000038
【図１４】
2005313173.tif 000039
【図１５Ａ】
2005313173.tif 000040
【図１５Ｂ】
2005313173.tif 000041
【図１６】
2005313173.tif 000042
【図１７】
2005313173.tif 000043
【図１８】
2005313173.tif 000044
【図１９】
2005313173.tif 000045
【図２０Ａ】
2005313173.tif 000046
【図２０Ｂ】
2005313173.tif 000047
【図２１Ａ】
2005313173.tif 000048
【図２１Ｂ】
2005313173.tif 000049
【図２２】
2005313173.tif 000050
【図２３Ａ】
2005313173.tif 000051
【図２３Ｂ】
2005313173.tif 000052
【図２３Ｃ】
2005313173.tif 000053
【図２３Ｄ】
2005313173.tif 000054
【図２４】
2005313173.tif 000055
【図２５Ａ】
2005313173.tif 000056
【図２５Ｂ】
2005313173.tif 000057
【図２５Ｃ】
2005313173.tif 000058
【図２５Ｄ】
2005313173.tif 000059
【図２５Ｅ】
2005313173.tif 000060
【図２５Ｆ】
2005313173.tif 000061
【図２６Ａ】
2005313173.tif 000062
【図２６Ｂ】
2005313173.tif 000063
【図２６Ｃ】
2005313173.tif 000064
【図２７Ａ】
2005313173.tif 000065
【図２７Ｂ】
2005313173.tif 000066
【図２７Ｃ】
2005313173.tif 000067
【図２７Ｄ】
2005313173.tif 000068
【図２７Ｅ】
2005313173.tif 000069
【図２７Ｆ】
2005313173.tif 000070
【図２８Ａ】
2005313173.tif 000071
【図２８Ｂ】
2005313173.tif 000072
【図２８Ｃ】
2005313173.tif 000073
【図２８Ｄ】
2005313173.tif 000074
【図２９Ａ】
2005313173.tif 000075
【図２９Ｂ】
2005313173.tif 000076
【図２９Ｃ】
2005313173.tif 000077
【図３０Ａ】
2005313173.tif 000078
【図３０Ｂ】
2005313173.tif 000079
【図３０Ｃ】
2005313173.tif 000080
【図３１Ａ】
2005313173.tif 000081
【図３１Ｂ】
2005313173.tif 000082
【図３１Ｃ】
2005313173.tif 000083
【図３１Ｄ】
2005313173.tif 000084
【図３２Ａ】
2005313173.tif 000085
【図３２Ｂ】
2005313173.tif 000086
【図３２Ｃ】
2005313173.tif 000087
【図３３Ａ】
2005313173.tif 000088
【図３３Ｂ】
2005313173.tif 000089
【図３３Ｃ】
2005313173.tif 000090
【図３４Ａ】
2005313173.tif 000091
【図３４Ｂ】
2005313173.tif 000092
【図３４Ｃ】
2005313173.tif 000093
【図３４Ｄ】
2005313173.tif 000094
【図３４Ｅ】
2005313173.tif 000095
【図３５Ａ】
2005313173.tif 000096
【図３５Ｂ】
2005313173.tif 000097
【図３６Ａ】
2005313173.tif 000098
【図３６Ｂ】
2005313173.tif 000099
【図３６Ｃ】
2005313173.tif 000100
【図３６Ｄ】
2005313173.tif 000101
【図３７】
2005313173.tif 000102
【図３８】
2005313173.tif 000103
【図３９】
2005313173.tif 000104
【図４０】
2005313173.tif 000105
【図４１】
2005313173.tif 000106
【図４２】
2005313173.tif 000107
【図４３】
2005313173.tif 000108